(57)【要約】  【課題】対物レンズにおける収差悪化を極力防止しながら、高次共振を抑制しうる接着構造を有するレンズホルダと、そのレンズホルダを備えた対物レンズ駆動装置、光ピックアップおよび光記録再生装置を提供する。  【解決手段】レンズホルダ４に形成された対物レンズ取付け用の貫通穴９の記録媒体側の周辺部に、貫通穴０の内壁から外周側に凹んだ第１の凹部１１を周方向に等間隔に複数個形成する。第１の凹部１１の間に、貫通穴９の内壁から外周側に凹み、その凹みが第１の凹部１１より小さい第２の凹部１２を、第１の凹部１１から独立させてあるいは第１の凹部１１の両側に連続させて形成する。対物レンズの鍔部の外周面と第１の凹部１１および第２の凹部１２との間にそれぞれ形成される領域に対物レンズ固定用の接着剤１３を施す。【選択図】図４
2006344287.tif 000002
【特許請求の範囲】
【請求項１】
光ピックアップに備える対物レンズのレンズホルダであって、
レンズホルダに形成された対物レンズ取付け用の貫通穴の記録媒体側の周辺部に、前記貫通穴の内壁から外周側に凹んだ第１の凹部を周方向に複数個形成すると共に、前記第１の凹部の間に、前記貫通穴の内壁から外周側への凹みが前記第１の凹部より小さい第２の凹部を、前記第１の凹部から独立させて形成し、
前記貫通穴に嵌める対物レンズの鍔部の外周面と前記第１の凹部および第２の凹部との間にそれぞれ形成される領域に対物レンズ固定用の接着剤を施した
ことを特徴とするレンズホルダ。
【請求項２】
光ピックアップに備える対物レンズのレンズホルダであって、
レンズホルダに形成された対物レンズ取付け用の貫通穴の記録媒体側の周辺部に、前記貫通穴の内壁から外周側に凹んだ第１の凹部を周方向に複数個形成すると共に、前記各第１の凹部の両側に連続させて、前記貫通穴の内壁から外周側への凹みが前記第１の凹部より小さい第２の凹部を形成し、
前記貫通穴に嵌める対物レンズの鍔部の外周面と前記第１の凹部および第２の凹部との間に形成される領域に対物レンズ固定用の接着剤を施した
ことを特徴とするレンズホルダ。
【請求項３】
請求項１または２に記載のレンズホルダにおいて、
前記第１の凹部の内周側端部を外側に凹ませて第３の凹部を形成し、その第３の凹部と対物レンズの鍔部の外周面との間にも接着剤を施した
ことを特徴とするレンズホルダ。
【請求項４】
請求項１から３までのいずれかに記載のレンズホルダにおいて、
前記第２の凹部を、外周側から内周側にかけて傾斜させて形成した
ことを特徴とするレンズホルダ。
【請求項５】
請求項１から４までのいずれかに記載のレンズホルダを有する
ことを特徴とする対物レンズ駆動装置。
【請求項６】
請求項５に記載の対物レンズ駆動装置を備えた
ことを特徴とする光ピックアップ。
【請求項７】
請求項６に記載の光ピックアップを備えた
ことを特徴とする光記録再生装置。
【発明の詳細な説明】
【技術分野】
【０００１】
本発明は、ＣＤ、ＤＶＤ、ＭＯ、ＭＤ等の光記録再生装置における対物レンズを保持するレンズホルダ、対物レンズ駆動装置、光ピックアップおよび光記録再生装置に関する。
【背景技術】
【０００２】
光ピックアップにおいては、半導体レーザ装置から出射されたレーザ光をビームスプリッタ等を備えた往路光学系を介して対物レンズに入射させ、対物レンズで集光して記録媒体であるディスク上にスポット状に照射する。そして記録面から反射したレーザ光を再び対物レンズに通して平行光として前記ビームスプリッタ等を含む復路光学系を介して受光器に受光させ、その受光信号の再生処理をしたり、記録面上のレーザスポットのフォーカス方向、トラッキング方向のエラー信号を作成する。得られたエラー信号に基づき、レンズホルダに設けたフォーカスコイルやトラッキングコイルに制御電流を流してレンズホルダの位置制御を行なう。
【０００３】
このような光ピックアップに用いられる対物レンズには、軽量であって高速駆動に好適なことから、アクリル系のプラスチックが用いられる。この対物レンズは、レンズホルダに設けた取付け用の貫通穴に嵌め込み、ＵＶ硬化系接着剤により外周部を接着して取付けられる。このような接着剤による取付けを行なう場合、対物レンズの外周全部をレンズホルダに接着すると、接着剤の硬化に伴う収縮の際に大きな応力を対物レンズに発生させ、対物レンズに歪みを生じさせ、収差悪化を発生させる。そこでこの応力の緩和のため、対物レンズのレンズホルダに対する接着は、例えば特許文献１に記載のように、レンズホルダの記録媒体側の貫通穴の周囲に、貫通穴の内壁から外周側に凹んだ凹部を形成し、その凹部と対物レンズの鍔部外周面との間に接着剤を流し込んで硬化させることにより、対物レンズの外周の複数箇所をスポット的に固定することが行なわれる。
【０００４】
【特許文献１】特開平８−３２９５０８号公報
【発明の開示】
【発明が解決しようとする課題】
【０００５】
近年、光記録再生装置においては、ディスクの高速回転が要求され、このため、レンズホルダの位置制御は高速に行なわなければならず、その結果、制御系のサーボ帯域が高域まで及び、３０ｋHz以上での高次共振が発生しやすくなる。このような高次共振が発生すると、レンズホルダの位置制御が安定化しなくなる。
【０００６】
特許文献１に記載の対物レンズの固定構造は、対物レンズの鍔部の外周壁とレンズホルダの記録媒体側に設けられた接着溝により形成される略L字形の角部に接着剤が充填された構造であり、応力が発生にくく、応力による対物レンズの収差悪化を起こしにくい構造である。しかしながら、高い周波数の共振に対しては、接着剤そのものが対物レンズに対して接着剤の剛性で固定している関係上、３０ｋHz程度までの共振の抑制力しかない。すなわち３０ｋHz以上の周波数帯域では接着剤そのものの剛性のばねでレンズホルダと対物レンズとがつながっていることと等価であり、３０ｋHz以上の共振モードでは有効ではない。このため、３０ｋHz以上での共振ピークの抑制が困難であり、記録媒体の高速回転への対応が困難になるという問題点がある。
【０００７】
本発明は、上記問題点に鑑み、対物レンズにおける収差悪化を極力防止しながら、高次共振を抑制しうる接着構造を有するレンズホルダと、そのレンズホルダを備えた光ピックアップおよび光記録再生装置を提供することを目的とする。
【課題を解決するための手段】
【０００８】
本発明のレンズホルダは、光ピックアップに備える対物レンズのレンズホルダであって、
レンズホルダに形成された対物レンズ取付け用の貫通穴の記録媒体側の周辺部に、前記貫通穴の内壁から外周側に凹んだ第１の凹部を周方向に複数個形成すると共に、前記第１の凹部の間に、前記貫通穴の内壁から外周側への凹みが前記第１の凹部より小さい第２の凹部を、前記第１の凹部から独立させて形成し、
前記貫通穴に嵌める対物レンズの鍔部の外周面と前記第１の凹部および第２の凹部との間にそれぞれ形成される領域に対物レンズ固定用の接着剤を施した
ことを特徴とする。
【０００９】
また、本発明のレンズホルダは、光ピックアップに備える対物レンズのレンズホルダであって、
レンズホルダに形成された対物レンズ取付け用の貫通穴の記録媒体側の周辺部に、前記貫通穴の内壁から外周側に凹んだ第１の凹部を周方向に複数個形成すると共に、前記各第１の凹部の両側に連続させて、前記貫通穴の内壁から外周側への凹みが前記第１の凹部より小さい第２の凹部を形成し、
前記貫通穴に嵌める対物レンズの鍔部の外周面と前記第１の凹部および第２の凹部との間に形成される領域に対物レンズ固定用の接着剤を施した
ことを特徴とする。
【００１０】
また、本発明のレンズホルダは、前記第１の凹部の内周側端部を外側に凹ませて第３の凹部を形成し、その第３の凹部と対物レンズの鍔部の外周面との間にも接着剤を施した
ことを特徴とする。
【００１１】
また、本発明のレンズホルダは、前記第１、第２の凹部を、外周側から内周側にかけて傾斜させて形成した
ことを特徴とする。
【００１２】
本発明の対物レンズ駆動装置、光ピックアップおよび光記録再生装置は、前記レンズホルダを有することを特徴とする。
【発明の効果】
【００１３】
本発明によれば、３０ｋHz前後までの共振は比較的広幅の第１の凹部に充填される接着剤による固定構造により抑制できる。また、第２の凹部に充填される接着剤によってレンズホルダを固定する構造により、例えば５０〜６０ｋHz程度の高い周波数での共振に対して、接着剤が狭い隙間内においてせん断モードで受けることとなり、接着剤自体の剛性（貯蔵弾性率）とは関係なくレンズホルダに対物レンズが強く固着するため、前述の高い周波数帯域での共振を抑制することができる。このため、広い帯域にわたって共振を抑制することが可能となり、レンズホルダの位置制御が安定化すると共に、ディスクの高速回転に対応できるレンズホルダ、対物レンズ駆動装置、光ピックアップ、光記録再生装置が提供できる。
【００１４】
また、対物レンズの全周にわたって対物レンズの鍔部とレンズホルダとを接着すると、接着剤の硬化に伴う収縮により、剥離が発生する恐れがあり、その上、対物レンズに対して大きな応力が発生し、収差悪化が生じるが、本発明においては、接着剤による部分的な接着が行なわれるので、剥離や収差悪化が防止できる。
【００１５】
また、各第１の凹部の両側に、前記貫通穴の内壁から外周側に凹み、その凹みが前記第１の凹部より小さい第２の凹部を形成すれば、広幅の第１の凹部から流動状態の接着剤を流し込むことにより、第２の凹部にも同時に接着剤が流れ込むため、第１の凹部の他に狭幅の第２の凹部に接着剤を流し込む作業が不要となり、前記効果に加えて、作業性が向上するという効果が得られる。
【００１６】
また、前記第１の凹部の内周側端部を外側に凹ませて第３の凹部を形成し、その第３の凹部と対物レンズの鍔部の外周面との間にも接着剤を施せば、第１の凹部の部分に剪断モードの接着部分が形成され、高い周波数における共振がよりよく抑制される。
【００１７】
また、第２の凹部を内壁側が下がった傾斜面に形成することにより、凹部と鍔部との間の領域への接着剤のインジェクタによる注入が容易かつ確実に行なえる。
【発明を実施するための最良の形態】
【００１８】
図１は本発明のレンズホルダの一実施の形態を示す光ピックアップの対物レンズ駆動装置の斜視図である。この光ピックアップは、光記録再生装置の回転する記録媒体（ディスク）の半径方向に位置制御される可動台（図示せず）に取付けられるものである。１は前記可動台に固定するベースである。２は前記可動台に固定するＵ字形のヨークである。３はヨーク２の対向面に固定される永久磁石である。４は永久磁石３、３間に装着されたレンズホルダ、５はレンズホルダ４に後述の手段で固定された対物レンズである。レンズホルダ４は、左右それぞれ複数本の弾性を有するワイヤ６により、永久磁石３、３間の位置に浮かせてベース１に支持される。レンズホルダ４の永久磁石３、３に対向する面には、中央にプリントコイル等でなるトラッキングコイル７が固定され、その両側にフォーカスコイル８が固定される。
【００１９】
図２は前記レンズホルダ４の要部構成を示す斜視図、図３はその部分拡大図、図４はその平面図、図５はその部分断面図である。図２に示すように、レンズホルダ４は補強材を添加した液晶ポリマー等の樹脂製の軽量で高い強度のものであり、対物レンズ５を取付けるための貫通穴９を有する。貫通穴９の内周面には対物レンズ５の鍔部５ａの底面（記録媒体の反対側の面）を受ける突部１０を全周にわたり形成する。
【００２０】
対物レンズ５の貫通穴９の記録媒体側の周辺部に、貫通穴９の内壁から外周側に向けて凹ませた２個の凹部１１（第１の凹部）を、図４に示すＸ方向（記録媒体の接線方向）に対向させて形成している。図５に示すように、好ましくはその底面１１ａを内周側が下がった傾斜面に形成する。各第１の凹部１１の両側に連続させて、貫通穴９の内壁から外周側に凹み、また第１の凹部１１は、凹み幅ｂが第１の凹部１１の幅ａより小さい（ａ＞ｂ）第２の凹部１２を形成する。接着強度を確保し、収差悪化を防止する上で、第１の凹部１１の好ましい幅ａは０．５〜１ｍｍ、内周側の深さｃは０．１〜０．４ｍｍである。また、同様の観点から、第２の凹部１２の好ましい幅ｂは０．０１〜０．１ｍｍ、深さｄは０．１〜０．４ｍｍである。
【００２１】
図４において、接着強度を確保し、収差悪化を防止する上で、第１の凹部１１（第３の凹部１４も同様）の好ましい形成角度範囲αは、接着強度の関係から、３０〜９０度である。また、同様の観点から、好ましい第２の凹部１２の形成角度範囲βは５〜２５度である。また、同様の観点から、第２の凹部１２の先端部とレンズ中心を結ぶ線が、Ｘ軸に対してなす好ましい角度γは、２０〜７０度である。
【００２２】
なお、本実施の形態においては、第１の凹部１１の内周側を外側に凹ませて第３の凹部１４を形成している。この実施の形態の第３の凹部１４の幅ｅは前記第２の凹部１２の幅ｂにほぼ等しく形成しているが、これらは異なる幅となるように形成してもよい。また、第３の凹部１４の対物レンズの周方向の幅は、第１の凹部１１の内周側の周方向の幅にほぼ等しく形成される。また、この第３の凹部１４の深さｆは、第１の凹部１１の内周側端部から突部１０までの深さｇ以下（ｆ≦ｇ）に設定される。第３の凹部１４の好ましい幅ｅは０．０１〜０．１ｍｍ、内周側の深さｆは０．１〜０．４ｍｍである。
【００２３】
図６、図７に示すように、対物レンズ５の接着は、その鍔部５ａを貫通穴９に嵌めると共に、鍔部５ａの底面を前記突部１０に当接させて取付ける。そして対物レンズ５の鍔部５ａの外周面と第１の凹部１１および第２の凹部１２との間に形成される領域に対物レンズ固定用の接着剤１３を施す。
【００２４】
ここで、凹部１１、１２に充填する接着剤１３としては例えばアクリル系のＵＶ硬化性樹脂を用いることができ、インジェクタにより幅広の第１の凹部１１に流動状態の接着剤を注入することにより、第２の凹部１２にも流動させて充填することができる。このように流動状態の接着剤１３を注入後、ＵＶ硬化させることによって対物レンズ５をレンズホルダ４に固定する。
【００２５】
本実施の形態の対物レンズ取付け構造における共振抑制効果を調べるため、対物レンズに振動を加えた場合の共振振幅を調べた結果について図８に示す。測定に用いたサンプル（実施例）は、対物レンズ５の直径が４ｍｍのもので、第１の凹部１１の幅aを０．７５ｍｍ、深さｃを０．２ｍｍ、第２の凹部１２の幅ｂを０．０５ｍｍ、深さｄを０．１５ｍｍ、第３の凹部１４の幅ｅを０．０５ｍｍ、深さｆを０．２ｍｍとした。また、第１の凹部１１および第３の凹部１４の形成角度範囲αを３０度、第２の凹部１２の形成角度範囲βは１５度とし（従って、第２の凹部１２の先端部が、Ｘ軸に対して対してなす角度γを４５度）とした。比較例として、前記実施例で第１の凹部１１のみを有するものを用いた。また、測定は、駆動コイルにある周波数（図８のグラフの横軸に対応する周波数）の電流を流し、これによってレンズ部分に生じた振動振幅をレーザードップラー振動計を用いて測定することにより行なった。
【００２６】
図８に示すように、実施例によれば、Ｐ１に示す５１ｋHzにおける共振（図４のＸ軸を中心としてＡ、Ｂのポイントが紙面の表裏方向にシーソーのように運動するモード）と、Ｐ２に示す５７ｋHzにおける共振（図４のＹ軸を中心としてＣ、Ｄのポイントが紙面の表裏方向にシーソーのように運動するモード）が抑制できることが分かる。
【００２７】
このように、本発明のレンズホルダ４は、内外方向に幅広の第１の凹部１１以外に、幅狭の第２の凹部１２とを備えてそれぞれに接着剤１３を施したものである。この第２の凹部１２に充填される接着剤１３によって対物レンズ５をレンズホルダ４を固定する構造により、例えば５０ｋHz程度以上の高い周波数での共振に対して、接着剤が狭い隙間内においてせん断モードで受けることとなり、接着剤自体の剛性とは関係なくレンズホルダ４に対物レンズ５が強く固着するため、高い周波数帯域での共振を抑制することができる。このため、広い帯域にわたって共振を抑制することが可能となり、レンズホルダの位置制御が安定化すると共に、ディスクの高速回転に対応できるレンズホルダ、対物レンズ駆動装置、光ピックアップ、光記録再生装置が提供できる。
【００２８】
また、本実施の形態においては、前記第１の凹部１１の内周側端部を外側に凹ませて第３の凹部１４を形成し、その第３の凹部１４と対物レンズ５の鍔部５ａの外周面との間にも接着剤１３を施したので、第１の凹部１１の部分に剪断モードの接着部分が形成され、高い周波数における共振がよりよく抑制される。
【００２９】
また、対物レンズ５の全周にわたって対物レンズ５の鍔部５ａとレンズホルダ４とを接着すると、接着剤の硬化に伴う収縮により、剥離が発生する恐れがあり、その上、対物レンズ５に対して大きな応力が発生し、収差悪化が生じるが、本発明においては、接着剤１３により周方向に部分的な接着が行なわれるので、剥離や収差悪化が防止できる。
【００３０】
また、本実施の形態においては、各第１の凹部１１の両側に、前記貫通穴９の内壁から外周側に凹み、その凹みが第１の凹部１１より小さい第２の凹部１２を形成しているので、広幅の第１の凹部１１から流動状態の接着剤１３を注入することにより、第２の凹部１２に接着剤が自動的に流れ込むため、狭幅の第２の凹部１２に接着剤を注入する作業が不要となり、前記効果に加えて作業性が向上するという効果が得られる。
【００３１】
図９、図１０は本発明によるレンズホルダの他の実施の形態をそれぞれ示す平面図である。図９の実施の形態においては、第２の凹部１２Ａを、Ｙ軸方向に対向させ、第１の凹部１１に対して独立して形成したものである。また、図１０の実施の形態は、第１の凹部１１、第２の凹部１２を３個ずつ、それぞれ独立して設けたものである。図９、図１０の実施の形態においても、前記高い周波数における共振を抑制することができる。なお、第１の凹部１１、第２の凹部１２をそれぞれ４個ずつ設けてもよく、また、第１の凹部１１の両側に設ける構成を、第１の凹部１１を３または４個設ける場合に採用してもよい。
【００３２】
図１１は本発明によるレンズホルダの他の実施の形態を示す断面図である。この実施の形態は、第２の凹部１２Ａを、外周側から内周側にかけて傾斜させて形成したものである。図１１の実施の形態によれば、第２の凹部１２Ａと鍔部５ａの外周面との間の領域への接着剤のインジェクタによる注入が容易かつ確実に行なえる。
【００３３】
図１２は前記光ピックアップアクチュエータを用いて構成される本発明による光記録再生装置の一実施の形態を示すブロック図である。図１２において、５１は光記録媒体または光磁気記録媒体からなる記録媒体（光ディスク）であり、この記録媒体５１はスピンドルモータ５２により回転される。５３は記録媒体５１に対して前記対物レンズ５を通してレーザ光を照射して記録、再生を行う光ピックアップである。この光ピックアップ５３は、記録媒体５１の面ぶれ、トラックの振れに対して対物レンズ５を追従させる前記光ピックアップアクチュエータを搭載する。光ピックアップ５３を構成する可動台は粗動モータ５４により記録媒体５１の半径方向に駆動される。光ピックアップ５３によって光電変換される電気信号は信号処理系５５により演算処理され、演算処理により得られたトラッキングエラー信号、フォーカスエラー信号、再生信号等が、装置全体を制御するドライブコントローラ５９に入力される。５６は光ピックアップ制御系であり、光ピックアップ５３のレーザ光の出力、出射パルスの制御と、前記エラー信号に基づいて光ピックアップアクチュエータの動作の制御を行う。５７は前記スピンドルモータ５２の駆動制御系、５８は粗動モータ５４の駆動制御系である。６０は外部との信号のやりとりを行うインターフェイスである。この光記録再生装置はキャビネットの中に組み込まれる。
【００３４】
図１３は本発明による前記光ピックアップアクチュエータを用いる光ピックアップ５３の一実施の形態を示すブロック図である。図１３において、６１はレーザーユニットからなる光源、６２は光源６１からのレーザ光を複数のビームに分割する回折素子、６３は回折素子６２から出たレーザ光を平行光とするコリメータレンズ、６４はビームスプリッタであり、該ビームスプリッタ６４は、コリメータレンズ６３からの光を対物レンズ５で集光して記録媒体（光ディスク）５１側に透過させ、記録媒体５１から対物レンズ５を透過した反射光をディテクタ６６側に反射させる。６８はビームスプリッタ６４からの反射光をディテクタ６６上に収束させるアナモフィックレンズである。このアナモフィックレンズ６８は入射側がシリンドリカル面、出射側が凹面となっている複合レンズで、前記凹面は、復路光学系の倍率を最適化すると共に、前記アナモフィックレンズ６８を光軸に沿った方向に移動することで前記情報光がディテクタ６６内部の受光面上で適正な大きさで集束するよう調整可能とする目的で設けている。
【００３５】
前記アナモフィックレンズ６８のシリンドリカル面を透過する際に、前記情報光は非点収差を発生し、この非点収差はフォーカスエラーの検出に用いられる。このフォーカスエラー検知方式は非点収差法と称される。トラッキングエラー信号は、光源６１から出射されたレーザ光を回折素子６２に通すことにより得られた２つの副ビームの差の信号により得る方法または主ビームを含めた差の信号から得る。なお、本発明において、このトラッキングエラー信号は、プッシュプル法、ウォブリング法、ヘテロダイン法により求めるようにしてもよい。また、フォーカスエラー信号の作成方法としてはナイフエッジ法、フーコー法、臨界角法を適用することが可能である。
【図面の簡単な説明】
【００３６】
【図１】本発明によるレンズホルダの一実施の形態を示すレンズホルダ駆動装置の一例を示す斜視図である。
【図２】本実施の形態のレンズホルダの要部を示す斜視図である。
【図３】本実施の形態のレンズホルダの部分拡大斜視図である。
【図４】本実施の形態のレンズホルダの平面図である。
【図５】本実施の形態のレンズホルダの部分断面図である。
【図６】本実施の形態の第１の凹部における接着剤の充填構造を示す断面図である。
【図７】本実施の形態の第２の凹部における接着剤の充填構造を示す断面図である。
【図８】本実施の形態における共振抑制に関する試験結果を示す図である。
【図９】本発明によるレンズホルダの他の実施の形態を示す平面図である。
【図１０】本発明によるレンズホルダの他の実施の形態を示す平面図である。
【図１１】本発明によるレンズホルダの他の実施の形態を示す断面図である。
【図１２】本発明の光記録再生装置の一実施の形態を示すブロック図である。
【図１３】本発明の光ピックアップの一実施の形態を示すブロック図である。
【符号の説明】
【００３７】
１：ベース、２：ヨーク、３：永久磁石、４：レンズホルダ、５：対物レンズ、５ａ：鍔部、６：ワイヤ、７：トラッキングコイル、８：フォーカスコイル、９：貫通穴、１０：突部、１１：第１の凹部、１２、１２Ａ：第２の凹部、１３：接着剤、１４：第３の凹部、５１：記録媒体、５２：スピンドルモータ、５３：光ピックアップ、５４：粗動モータ、５５：信号処理系、５６：光ピックアップ制御系、５７：スピンドルモータの駆動制御系、５８：粗動モータの駆動制御系、５９：ドライブコントローラ、６０：インターフェイス、６１：光源、６２：回折素子、６３：コリメータレンズ、６４：ビームスプリッタ、６６：ディテクタ、６８：アナモフィックレンズ
【図１】
2006344287.tif 000003
【図２】
2006344287.tif 000004
【図３】
2006344287.tif 000005
【図４】
2006344287.tif 000006
【図５】
2006344287.tif 000007
【図６】
2006344287.tif 000008
【図７】
2006344287.tif 000009
【図８】
2006344287.tif 000010
【図９】
2006344287.tif 000011
【図１０】
2006344287.tif 000012
【図１１】
2006344287.tif 000013
【図１２】
2006344287.tif 000014
【図１３】
2006344287.tif 000015